(57)【要約】【課題】エージング後に生じる再起電圧を容易に且つ確実に放電することができる電解コンデンサを提供する。【解決手段】コンデンサ素子と、該コンデンサ素子を収納する外装ケースと、該外装ケースの開口部を封止する封口部材と、該封口部材に配置された陰極外部端子及び陽極外部端子を有し、該端子を内包するとともに、該端子間を電気的に短絡させてコンデンサの再起電圧を放電させる導電材料を該端子に接触するように配置した熱収縮材からなるキャップを脱着自在に電解コンデンサに取り付ける。【選択図】　図１
2004119886.tif 000002
【特許請求の範囲】
【請求項１】
コンデンサ素子と、該コンデンサ素子を収納する外装ケースと、該外装ケースの開口部を封止する封口部材と、該封口部材に配置された陰極外部端子及び陽極外部端子を有し、該端子を内包するとともに、該端子間を電気的に短絡させてコンデンサの再起電圧を放電させる導電材料を該端子に接触するように配置した熱収縮材からなるキャップを脱着自在に取り付けた電解コンデンサ。
【請求項２】
前記導電材料がキャップの内面に配置されてなる請求項１記載の電解コンデンサ。
【発明の詳細な説明】
【０００１】
【発明の属する技術分野】
本発明は各種電子機器に利用される電解コンデンサに関するものである。
【０００２】
【従来の技術】
従来のこの種の電解コンデンサは、図３に示すように弁作用金属箔を粗面化しさらに陽極酸化により誘電体酸化皮膜を形成した陽極箔と、アルミニウム箔を粗面化した陰極箔をその間にセパレータを介在させて巻回することによりコンデンサ素子１を構成するとともに、このコンデンサ素子１に駆動用電解液を含浸させ、そしてこのコンデンサ素子１を有底円筒状の金属ケース５内に収納するとともに、金属ケース５の開口部に内部の駆動用電解液が蒸発しないように封口部材２を封着し、さらに前記コンデンサ素子１から導出された陽極内部端子３と陰極内部端子３は陽極外部端子４の一端部と陰極外部端子４の一端部にそれぞれ接続され、そして陽極外部端子４の他端部と陰極外部端子４の他端部はそれぞれ前記封口部材２に予め取り付られることで外部に突出させていた。
【０００３】
ところで、この種の電解コンデンサは、製造過程において特性を安定させる目的で、電解コンデンサの陽極外部端子と陰極外部端子間に電圧を印加するエージングを実施しており、そしてこのエージング終了後は電解コンデンサの陽極外部端子と陰極外部端子間を抵抗等で短絡させて電解コンデンサに蓄電されている電圧を放電する。しかし、この電解コンデンサは電圧を復帰させる性質があり、時間が経つと電解コンデンサの陽極外部端子と陰極外部端子間には電圧が生じる（再起電圧）。この場合、電解コンデンサをセットに取り付ける際に、端子間に触れると感電したり、また接触により他の電子部品を破壊したりするという問題を引き起こす。
【０００４】
そこで、再起電圧を容易に放電させるものとして、図３に示すように、カーボンを含有する導電性のキャップ６を外部端子間に取り付け各端子間を短絡させて再起電圧を放電させたものがある。（特開平１１−１４５００１号）
【０００５】
【特許文献１】
特開平１１−１４５００１号公報。
【０００６】
【発明が解決しようとする課題】
しかしながら、前記導電性のキャップ６では、カーボンを含有する樹脂成型品であるが、外部端子の大きさ及び外部端子間の距離が異なる電解コンデンサに使用する場合は、その電解コンデンサの外部端子の大きさ及び外部端子間の距離寸法に適合するキャップを製造しなければならず、またキャップを製造する際に外部端子に適合する金型を各々用意しなければならないことから、利便性が低いという問題があった。
【０００７】
【課題を解決するための手段】
そこで、上記目的を達成するために本発明の電解コンデンサは、コンデンサ素子と、該コンデンサ素子を収納する外装ケースと、該外装ケースの開口部を封止する封口部材と、該封口部材に配置された陰極外部端子及び陽極外部端子を有し、該端子を内包するとともに、該端子間を電気的に短絡させてコンデンサの再起電圧を放電させる導電材料を該端子に接触するように配置した熱収縮材からなるキャップを脱着自在に取り付けられている。
【０００８】
また、前記導電材料はキャップの内面に配置されている。
【０００９】
そして、本発明の電解コンデンサによると、キャップを外部端子に取り付けることにより、外部端子を覆い直接外部端子に触れることがなく、安全性を高めることができるとともに、このキャップは熱収縮材から構成され、外部端子への取り付け時には熱収縮によりキャップ自体が小さくなって取り付けられているため、外部端子の大きさ及び外部端子間の距離寸法が異なる他種類の電解コンデンサにおいてもこの同一寸法のキャップにて利用できるため利便性を高めることができる。
【００１０】
またキャップの内面にのみに導電材料を配置すると、キャップの表面は絶縁体であるため、キャップを端子間より取り外す際に感電したり、また接触により他の電子部品を破壊したりすることはなく、安全にかつ容易に再起電圧を常に放電させることができる。
【００１１】
【実施例】
以下、本発明の実施例を図面に基づき詳細に説明する。図１はキャップを取り付けた電解コンデンサを示す。図２の（ａ）及び（ｂ）はキャップを示す。
【００１２】
陰極及び陽極の内部端子３が導出されたコンデンサ素子１と、前記コンデンサ素子１に含浸された駆動用電解液と、前記コンデンサ素子１を収納する有底筒状の外装ケース５と、前記外装ケース５の開口部を封止する封口部材２と、内部端子３をその端部に接続し、かつ前記封口部材２に配置された外部端子４と、前記陽極外部端子４と陰極外部端子４に脱着自在に取り付けられる、陽極外部端子と陰極外部端子間を短絡させてエージング後の復帰電圧を放電させるキャップ６から主に構成される。
【００１３】
図１に示すように、コンデンサ素子１は、アルミニウムやチタン等の弁作用金属からなるエッチング箔に酸化皮膜を形成した陽極箔２と、前記弁作用金属のエッチング箔からなる陰極箔３とをマニラ紙やクラフト紙等の絶縁材などからなるセパレータ６を介して巻回して形成される。前記陽極箔２及び陰極箔３には細長い箔状の陽極内部端子３及び陰極内部端子３がそれぞれの電極箔にステッチ法やコールドウェルド法等により接続されている。
【００１４】
外装ケース５は、有底円筒状で、アルミニウムなどの金属材料や、ポリフェニレンサルファイドなどの樹脂材料からなり、コンデンサ素子１をその内部に収納する。封口部材２は、外装ケース５の開口部に適合する形状であり、主に樹脂からなりその周縁部にゴムを配したものや、樹脂とゴムを張り合わせたもの等がある。封口部材２には貫通孔が設けられ、陰極外部端子４及び陽極外部端子４が貫通孔に固定され、該陰極外部端子４及び陽極外部端子４のコンデンサ内部側の端部にコンデンサ素子１より導出された陰極内部端子３及び陽極内部端子３がそれぞれワッシャを介して加締め接続されている。
【００１５】
そして前記コンデンサ素子１には駆動用電解液が含浸され、外装ケース５に収納され、外装ケース５の開口部に内部の駆動用電解液が蒸発しないように封口部材２により封止することで、電解コンデンサが形成される。その後、端子間に電圧を印可するエージング工程、印加された電圧を放電する工程を経る。
【００１６】
キャップ６は、ポリ塩化ビニル、ポリスチレン、ポリエチレンテレフタレート、ポリプロピレンなどの熱収縮材からなり、陰極外部端子４及び陽極外部端子４を個別または一体的に内包する収納部９と、前記収納部９内に配置され、前記両外部端子４にそれぞれ接触し、前記両外部端子間を導通させるように構成された導電材料７とを有している。この導電材料７は、キャップ６の外表面に形成されない構成とする。また、前記導電材料７の代わりに、カーボンなどの導電物質を熱収縮材に含有させたものを用いてもよい。
【００１７】
前記導電材料７は、金属メッキを施したり、導電性樹脂テープを貼り付けたり、また金属板をキャップ６にインサート成形すること等により形成される。導電材料７は、キャップ６の収納部９に外部端子４と接触するように配置され、例えば収納部９の内底面、側面やその一部や、内底面及び側面全域などに形成することが可能であり、外部端子４の形状に合わせて任意に配置できる。各外部端子４に接触するように配置された導電材料７は互に導通するように構成される。例えば図２の（ａ）では、個別に外部端子４の収納部９を設けたキャップ６を示し、各収納部９の内底面に外部端子４と接触するように導電材料７を配置し、各収納部９の導電材料７を互いに壁部８に埋め込まれた導電材料７を介して導通されている。個別に収納部９を設けると、各外部端子毎にキャップ６は取り付けられるため、輸送時などのによる離脱を十分に防止できる。また図２の（ｂ）では外部端子４を一体的に収納する収納部９を設けたキャップ６を示し、収納部９の内底面及び側面の一部に導電材料７を配して構成される。
【００１８】
そして、前記電解コンデンサには、エージング工程、放電工程を経た後に、陰極外部端子４及び陽極外部端子４に前記キャップ６を配置し、加熱することで外部端子間に取り付けられる。この熱収縮によってキャップ６自体が小さくなり外部端子間に密着して取り付けられるため、移送時などによる振動等により離脱されることがなく十分に外部端子間に固定することができるとともに、外部端子の大きさ及び外部端子間の距離寸法が異なる他種類の電解コンデンサにおいても利用できる。そして、再起電圧が生じた際には随時キャップ６により放電される。なお、導電材料７を内面に配置させたキャップ６では、このキャップ６に触れたり、またキャップ６を端子間より取り外す際に感電したり、またキャップ６への接触により他の電子部品を破壊したりすることはなく、安全にかつ容易に再起電圧を放電させることができ、電解コンデンサの安全性に大きく貢献できる。
【００１９】
【発明の効果】
以上のように、本発明の電解コンデンサは、キャップを外部端子に取り付けることにより、外部端子を覆い直接外部端子に触れることがなく、安全性を高めることができるとともに、このキャップは熱収縮材から構成され、外部端子への取り付け時には熱収縮によりキャップ自体が小さくなって取り付けられているため、外部端子の大きさ及び外部端子間の距離寸法が異なる他種類の電解コンデンサにおいても利用できるため利便性を高めることができる。
【図面の簡単な説明】
【図１】本発明の実施例におけるキャップを取り付けた電解コンデンサを示す断面図である。
【図２】（ａ）、（ｂ）ともに本発明の実施例におけるキャップを示す斜視図である。
【図３】従来の電解コンデンサを示す断面図である。
【符号の説明】
１　　コンデンサ素子
２　　封口部材
３　　内部端子
４　　外部端子
５　　外装ケース
６　　キャップ
７　　導電材料
８　　壁部
９　　収納部
【図１】
2004119886.tif 000003
【図２】
2004119886.tif 000004
【図３】
2004119886.tif 000005